(57)【要約】【課題】    戸パネルの開閉操作の際に支えとして用いることができ、且つ、握力の弱い高齢者や障害者であっても使用し易い、手掛け装置を提供する。【解決手段】  開口部に設けられる縦枠に沿って取り付けられる土台部と、土台部と一体に設けられる本体部とからなり、本体部は土台部と所定間隔をもって上方向へのび、且つ上端部の全ての角部が曲面状、若しくは球面状である手掛け部を備える手掛け装置とする。【選択図】  図３
2009270353.tif 000002
【特許請求の範囲】
【請求項１】
開口部に設けられる縦枠に沿って取り付けられる土台部と、土台部と一体に設けられる本体部とからなり、本体部は土台部と所定間隔をもって上方向へのび、且つ上端部の全ての角部が曲面状である手掛け部を備えることを特徴とする手掛け装置。
【請求項２】
手掛け部の上端部が球面状であることを特徴とする請求項１に記載の手掛け装置。
【発明の詳細な説明】
【技術分野】
【０００１】
本発明は、建築物の開口部の縦枠に沿って設けられる手掛け装置に関する。
【背景技術】
【０００２】
従来、住宅や老人ホームなどの建築物の開口部において、開閉自在に戸パネルが取り付けられた枠体の少なくとも一方の縦枠に、部分的または全長にわたって、特許文献１のように縦方向に伸びた棒状の手摺を設けたものや、特許文献２のように水平断面が略曲線状の把持部をもうけたものが知られている。
【特許文献１】特開２０００−３０３７４２号公報
【特許文献２】特開平７−３１７３７７号公報
【０００３】
これらは、手摺や把持部を握ることにより、身体を支えた状態で戸パネルの開閉をおこなうことができるため、特に高齢者や身体障害者にとって有用であった。
【０００４】
しかしながら、従来の開口部構造はいずれも身体を支えるために手摺や把持部を「握る」必要があり、握力の弱い高齢者や、手で握る動作に障害をもつ身体障害者にとって使用しづらいという問題があった。
【発明の開示】
【発明が解決しようとする課題】
【０００５】
本発明は斯かる従来の問題を鑑みなされたもので、戸パネルの開閉操作の際に支えとして用いることができ、且つ、握力の弱い高齢者や障害者であっても使用し易い、手掛け装置を提供することを目的とする。
【課題を解決するための手段】
【０００６】
上記目的を達成するために、請求項１に記載の手掛け装置は、開口部に設けられる縦枠に沿って取り付けられる土台部と、土台部と一体に設けられる本体部とからなり、本体部は土台部と所定間隔をもって上方向へのび、且つ上端部の全ての角部が曲面状である手掛け部を備えることを特徴とする。
【０００７】
請求項２に記載の手掛け装置は、請求項１に記載の手掛け装置において、手掛け部の上端部が球面状であることを特徴とする。
【発明の効果】
【０００８】
請求項１の発明の手掛け装置は、本体部は土台部と所定間隔をもって上方向へのびる手掛け部を備えるため、手掛け部と土台部との間の空間に手を入れ、手掛け部を「握る」ことにより、従来の縦枠に設けられる手摺や把持部などと同様に、戸パネルの開閉操作の際の支えとして用いることができる。更に、手掛け部の上端部の全ての角部が曲面状であるため、上記の手掛け部を「握る」ことに加えて、角部で手のひらを傷めることなく、手掛け部の上端部に手のひらを「掛ける」ことができる。このため、握力の弱い高齢者や障害者であっても、手掛け部の上端部に手のひらを「掛ける」ことにより、戸パネルの開閉操作の際に身体を支えとして用いることができる。すなわち、上記「握る」ことも「掛ける」ことも良好にできるという効果を奏する。
【０００９】
また、本体部が土台部と一体に設けられており、手掛け部が土台部と所定間隔をもって上方向へのびているため、手掛け部を握って、戸パネルの開閉操作の際の支えとして用いた場合において、万が一、手掛け部を握っている手が滑ったとしても、本体部に手が引っかかるため、安全に使用することができる。
【００１０】
請求項２の発明の手掛け装置は、請求項１の発明の手掛け装置において、上端部が球面状であるため、手のひらに一層フィットした状態で使用することができる。
【発明を実施するための最良の形態】
【００１１】
以下、本発明の実施形態を図面に基いて説明する。尚、本発明は実施形態の記載内容に限られるものではない。
【００１２】
図１は本発明に係る手掛け装置Ａを、開口部に設けられた縦枠４０に沿って取り付けた状態を示す正面図、図２は図１のＸ−Ｘ'の断面図である。開口部には、床上に立設される左右の縦枠４０，４１と、これら左右の縦枠４０，４１の上部同士を連結する上枠４２とが設けられており、左右の縦枠４０，４１および上枠４２にはそれぞれ見切５０，５１，５２が設けられている。開口部には戸パネル４が上下２つの蝶番６０，６１を介して図１の右側の縦枠４１に支持されており、戸パネル４の左側寄りの中間高さ位置にはレバーハンドル５が設けられている。さらに、図１の左側の縦枠４０に沿って、手掛け装置Ａが設けられている。（換言すれば、手掛け装置Ａが、手掛け装置Ａを戸パネル４の開閉操作の際の支えとして用いることできる縦枠４０からの距離の範囲内に設けられている。）
【００１３】
図３は手掛け装置Ａを開口部に設けられた縦枠４０に沿って取り付けた状態を示す拡大斜視図、図４は手掛け装置Ａを開口部に設けられた縦枠４０に沿って取り付けた状態を示す拡大正面図、図５は手掛け装置Ａを開口部に設けられた縦枠４０に沿って取り付けた状態を示す拡大側面図である。図３乃至図５に示すように、手掛け装置Ａは、開口部に設けられた縦枠４０に沿って取り付けられる土台部１と、土台部１と一体に設けられる本体部２とからなる。本実施例では、土台部１と本体部２とを別体で作製し、土台部１の裏面から本体部２に向かって複数のネジ（図示せず）をねじ込むことにより一体としているが、本体部２に力が加わった際に土台部１と本体部２とが外れない様、土台部１と本体部２とを強固に固定できる手段であれば、例えば、土台部１と本体部２との接合面に互いに嵌合する雄嵌合部と雌嵌合部とをそれぞれ設けておき嵌合させるとともに、接着剤を併用し一体とするなどの手段により一体としてもよい。また、土台部１と本体部２とをもともと一体に作製したものでもよい。
【００１４】
本体部２は、土台部１と所定間隔をもって上方向へのび、且つ上端部２１が球面状である手掛け部２２を備えている。手掛け部２２と土台部１との間隔は、手掛け部２２と土台部１との間の空間に手を入れ、手掛け部２２を「握る」ことが出来るように設定される。また、本実施例では手掛け部２２の上端部２１の形状は手のひらにフィットした状態で使用することができるように球面状としたが、別の実施例である図６に示す手掛け装置Ｂのように、四角柱状の手掛け部３２の上端部３１の全ての角部を曲面状としたものや、六角柱状や八角柱状など多角形の断面をもつ柱状の手掛け部の上端部の全ての角部を曲面状としたものなど、手のひらを傷めることなく、手掛け部の上端部に手のひらを「掛ける」ことができるように、手掛け部の上端部の全ての角部を曲面状にしたものを適用することができる。
【００１５】
土台部１の壁板６などの取り付け面への取り付けは、柱まで至るネジを土台部１の表面からねじ込んで固定するなど、取り付け面から土台部１が外れない手段であれば特に限定されない。本実施例における土台部１の壁板６への取り付けは、図２に示すように、土台部１の裏面に取り付けられる取付金具７を介して壁板６などの取り付け面に固定して意匠上好ましくなるように行なっている。
【００１６】
また、手掛け装置Ａと縦枠とを一体化させ意匠性を向上させるなどの目的で、本実施例のように、図２の左側の縦枠４０に設けられる見切５０に接して土台部１を壁板６の表面に固定してもよく、この場合は、土台部１に、土台部１と見切５０との接触部８が表面から見えないようにするための目隠し部１１を設けておくことが望ましい。目隠し部１１を設けておくことにより、土台部１と見切５０との接触部８に隙間が生じた場合でも、隙間を隠すことができ見かけがよい。
【００１７】
土台部１と本体部２の材質は、手掛け装置として十分な強度をもつものであれば、集成材や無垢の木材などの木質材料、アルミニウム合金等の金属、ポリプロピレン、ＡＢＳ等の合成樹脂などを用いることができ特に限定されないが、少なくとも本体部２は、手のひらで触れた際の冷たさなどの不快感を覚えにくい集成材や無垢の木材などの木質材料であることが望ましい。また、触感の改善や意匠性の向上などのために、表面をシート材で覆ったり、塗装したりしてもよい。さらに、本体部２の手のひらが触れる部分には、滑り止めや、触れた際の冷たさを軽減させる目的で、凹溝を設ける、凸条を設ける、エンボスを設けるなどの加工を施しておいてもよい。
【図面の簡単な説明】
【００１８】
【図１】手掛け装置Ａを開口部に設けられた縦枠に沿って取り付けた状態を示す正面図
【図２】図１のＸ−Ｘ'の断面図
【図３】手掛け装置Ａを開口部に設けられた縦枠に沿って取り付けた状態を示す拡大斜視図
【図４】手掛け装置Ａを開口部に設けられた縦枠に沿って取り付けた状態を示す拡大正面図
【図５】手掛け装置Ａを開口部に設けられた縦枠に沿って取り付けた状態を示す拡大側面図
【図６】手掛け装置Ｂを開口部に設けられた縦枠に沿って取り付けた状態を示す拡大斜視図
【符号の説明】
【００１９】
Ａ、Ｂ            ・・・  手掛け装置
１                ・・・  土台部
２                ・・・  本体部
４                ・・・  戸パネル
５                ・・・  レバーハンドル
６                ・・・  壁板
７                ・・・  取付金具
８                ・・・  接触部
１１              ・・・  目隠し部
２１、３１        ・・・  上端部
２２、３２        ・・・  手掛け部
４０、４１        ・・・  縦枠
５０、５１，５２  ・・・  見切
６０、６１        ・・・  蝶番
【図１】
2009270353.tif 000003
【図２】
2009270353.tif 000004
【図３】
2009270353.tif 000005
【図４】
2009270353.tif 000006
【図５】
2009270353.tif 000007
【図６】
2009270353.tif 000008